(57)【特許請求の範囲】
【請求項１】
箱状の胴と、この胴の上方に並列に張られた複数本の弦と、これらの弦を受けるとともに弦の振動を上記胴に伝達するための駒と、弦の所定位置を押えるために操作される複数の鍵とを備えた大正琴の音量を弱めるための弱音器であって、上記胴と上記弦との間に配置されるベース、ベースの上面に備えられた吸収材、および、上記べースの底面に形成された溝を備えた本体と、
厚みが上記溝の深さより厚くされ、かつ、上記溝に挿入されることによって本体を胴から持ち上げて吸収材が弦に接触した状態にするスライド部材と含むことを特徴とする大正琴用弱音器。
【請求項２】
請求項１記載の大正琴用弱音器であって、
上記スライド部材の先端または溝の入口の少なくとも一方には、上記スライド部材を溝に挿入し易いように、傾斜がつけられていることを特徴とする大正琴用弱音器。
【発明の詳細な説明】
【０００１】
【発明の属する技術分野】
この発明は、大正琴の音量を弱めるための弱音器に関する。
【０００２】
【従来の技術および発明が解決しようとする課題】
大正琴は、筝を簡易にした楽器であり、たとえば５弦琴に複数の鍵を取り付けたものである。この大正琴では、弦の振動が胴の内部で共鳴され、大きな音として響穴から外へ出される。
このため、大正琴から出される音量は大きなものとなるが、家で練習するときには、音量を弱くしたい。また、胴の内部で共鳴させることなく、弱い音量で演奏したい場合もある。
【０００３】
一方、筝の音量を弱めるための弱音器として実開昭５８‐１２６４９４号公報に示された筝用弱音器が知られている。
この筝用弱音器を大正琴にも用いることが考えられるが、筝と大正琴とではその構造が異なっているため、この筝用弱音器をそのまま大正琴に用いることはできない。
そこで、この発明の目的は、大正琴の音量を弱めることができる大正琴用弱音器を提供することである。
【０００４】
【課題を解決するための手段および発明の効果】
上記課題を解決するための請求項１記載の発明は、箱状の胴と、この胴の上方に並列に張られた複数本の弦と、これらの弦を受けるとともに弦の振動を上記胴に伝達するための駒と、弦の所定位置を押えるために操作される複数の鍵とを備えた大正琴の音量を弱めるための弱音器であって、上記胴と上記弦との間に配置されるベース、ベースの上面に備えられた吸収材、および、上記べースの底面に形成された溝を備えた本体と、厚みが上記溝の深さより厚くされ、かつ、上記溝に挿入されることによって上記本体を上記胴から持ち上げて上記吸収材が上記弦に接触した状態にするスライド部材と含むことを特徴とする大正琴用弱音器である。
【０００５】
この発明によれば、スライド部材を胴と溝との間に挿入すると、本体が持ち上げられるので、吸収材が弦に接触される。吸収材が弦に接触していると、弦が弾かれてもその振動が吸収されるために、弦の振動が駒から胴に伝えられない。つまり、弦の振動が胴で共鳴されることがなく、これにより大正琴の音量が弱くされる。
また、スライド部材を胴と溝との間に挿入させるだけで大正琴弱音器の大正琴への取付けが達成される。すなわち、その取付けが簡単に行える。
【０００６】
弦の振動を吸収する吸収材として、フェルトやゴムを用いることが好ましい。また、その他のものを吸収材として用いてもよい。
請求項２記載の大正琴用弱音器は、請求項１記載の大正琴用弱音器であって、上記スライド部材の先端または溝の入口の少なくとも一方には、上記スライド部材を溝に挿入し易いように、傾斜がつけられていることを特徴とするものである。
【０００７】
この発明によれば、傾斜がつけられているために、スライド部材は溝と胴との間に簡単に挿入される。これにより、大正琴用弱音器を、より簡単に大正琴に取り付けることができる。
【０００８】
【発明の実施の形態】
以下に、この発明の実施形態を、添付図面を参照して詳細に説明する。
図１は、この発明の一実施形態にかかる大正琴弱音器が用いられる大正琴の概略構成を示す平面図である。
大正琴２は、長手の略箱状の胴３を備えている。胴３の上方には、その長手方向に沿って、たとえば５本の弦４が並列に張られている。５本の弦４のうち、奥側の４本は高音弦４Ａであり、残りの手前側は低音弦４Ｂである。各弦４は、駒６によって受けられており、各弦４の振動は、この駒６によって胴３の表面板３Ａに伝達される。
【０００９】
上記複数の弦４の下方において、胴３の表面板３Ａ上には指板７が配置されている。指板７の表面には、弦４の延びる方向と直交する方向に延びる複数のフレット８が取り付けられている。表面板３Ａの上方には、表面板３Ａの一部を覆う天板９が配置されている。天板９の前側には、複数の鍵１０が並べられており、各鍵１０は、弦４の上方に上下動可能に取り付けられた鍵レバー１１により保持されている。たとえば、鍵１０の操作により下方に押し下げられた鍵レバー１１により、弦４が指板７の隣り合うフレット８間で指板７に押付け可能とされている。このため、鍵１０が操作されると、指板７の隣り合うフレット８間で、弦４が鍵レバー１１によって指板７に押し付けられる。したがって、複数の鍵１０のうち所望の鍵１０を操作することにより、弦４の振動長さが調節される。
【００１０】
胴３の表面板３Ａにおいて、駒６と指板７との間には、響穴１２が形成されている。この構成により、弦４の振動が駒６を介して表面板３Ａに伝わり、表面板３Ａが振動する。表面板３Ａの振動によって発生した表面板３Ａの裏の空気振動は、胴３の内部で共鳴され、大きな音として響穴１２から外へ出される。すなわち、鍵１０が操作された状態で、弦４のうち、響穴１２に臨む部分が図示しないピック等で弾かれることにより、任意の音程の音が響穴１２から出される。
【００１１】
家での練習時のように、大正琴２を音量を弱めて演奏したい場合に、この実施形態にかかる大正琴用弱音器１が用いられる。
図２は、この発明の実施形態にかかる大正琴用弱音器１の構成を示す斜視図である。
大正琴用弱音器１は、本体２１と、スライド部材２２とを備えている。本体２１は、ベース２３を備えている。ベース２３は、第１面２４と、第１面２４と平行であり、かつ、第１面２４よりやや低くされた第２面２５とを備えている。ベース２３の第１および第２面２４，２５上には、吸収材としてのフェルト２６が貼着されている。このフェルト２６は弦４の振動を吸収するためのものである。
【００１２】
ベース２３の底面２３ａには、一方向に延びる溝２７が形成されている。溝２７は、ベース２３の一端（図２に示す右奥側）に向かって開いており、この開口部分がスライド部材２２の入口２７ａとなっている。
スライド部材２２は略直方体形状であり、スライド部材２２の後端には操作部２９が設けられている。スライド部材２２の幅は、本体２１の溝２７と表面板３Ａとの間に挿入させることができるように設定されている。
【００１３】
図３に示すように、大正琴用弱音器１は、大正琴２の響穴１２と駒６との間、具体的には駒６に隣接する位置に取り付けられる。この取付け状態で、大正琴用弱音器１は、表面板３Ａと弦４との間に挟まれる。
図４は、大正琴用弱音器を大正琴に取り付ける様子を示す断面図である。
図４（ａ）に示すように、４本の高音弦４Ａは、表面板３Ａからの高さが同じであり、低音弦４Ｂは高音弦４Ａよりも下方に位置している。第１面２４および第２面２５に貼着されたフェルト２６の上面の表面板３Ａからの高さは、それぞれ、上記４本の高音弦４Ａおよび低音弦４Ｂの高さよりも所定量Ｌだけ低くなるように設定されている。
【００１４】
以下、大正琴用弱音器１の大正琴２への取付けについて説明する。
まず、図１および図４（ａ）を参照して、一方の手により、たとえば弦４の奥側から、表面板３Ａと弦４との間に本体２１を配置する。この配置状態で、本体２１の溝２７は弦４の延びる方向と略直交する方向に延びている。表面板３Ａと溝２７との間にスライド部材２２を挿入するための隙間ができるまで、一方の手で本体２１を引き上げた後、他方の手で操作部２９で操作し、図４（ｂ）に示すように、スライド部材２２を溝２７と表面板３Ａとの間に挿入する。この状態で、大正琴用弱音器１は、表面板３Ａと弦４との間に挟まれ、その取付けが達成される。このように、本体２１を引き上げ、スライド部材２２を溝２７と表面板３Ａとの間に挿入させるだけで、簡単にその取付けが行える。
【００１５】
図４（ａ）に示すように、スライド部材２２の厚みＬＢは、溝２７の深さＬＡよりも大きく設定されており、この差は、上記所定量Ｌよりもやや大きくされている。このため、スライド部材２２が溝２７と表面板３Ａとの間に挿入されることにより、本体２１が持ち上げられるとともに、第１面２４に貼着されたフェルト２６が各高音弦４Ａに接触され、第２面２５に貼着されたフェルト２６が低音弦４Ｂに接触される。
【００１６】
フェルト２６が弦４に接触していると、弦４が弾かれてもその振動が吸収されるために、弦４の振動が駒６から胴３に伝えられない。つまり、弦４の振動が胴３で共鳴されることがなく、これにより大正琴２の音量が弱くされる。
なお、図５に示すように、スライド部材２２の先端２２ａには、その上面に、先端側に向かって下り傾斜３０がつけられていてもよい。この場合には、上記スライド部材を溝２７と表面板３Ａとの間に挿入し易い。これにより、大正琴用弱音器１をより簡単に大正琴２に取り付けることができる。
【００１７】
また、図５に一点鎖線で示すように、溝２７の入口２７ａには、その底部に、スライド部材２２の挿入側に向かって上り傾斜３０Ａがつけられていてもよい。
さらに、上述の実施形態では、大正琴用弱音器１を５弦琴の大正琴に用いる場合について説明をしたが、この発明にかかる大正琴用弱音器は、低音弦４Ｂが２本張られた６弦琴の大正琴に用いることもできる。この６弦琴の大正琴では、一方の低音弦が、他方の低音弦より低くされている場合があるが、このときには、ベース２３に一方の低音弦に対応する第３面を設け、その第３面にこの低音弦４Ｂの振動を吸収するための吸収材を設ければよい。
【００１８】
以上、この発明の実施形態について説明したが、この発明は他の形態でも実施することができ、特許請求の範囲に記載された事項の範囲で種々の設計変更を施すことが可能である。
【図面の簡単な説明】
【図１】この発明の一実施形態にかかる大正琴弱音器が用いられる大正琴の概略構成を示す平面図である。
【図２】この発明の実施形態にかかる大正琴用弱音器の構成を示す斜視図である。
【図３】大正琴用弱音器の取付け状態を示す大正琴の要部斜視図である。
【図４】大正琴用弱音器を大正琴に取り付ける様子を示す断面図である。
【図５】この発明の他の実施形態にかかる大正琴弱音器の要部断面図である。
【符号の説明】
１  大正琴用弱音器
２  大正琴
３  胴
４  弦
６  駒
１０  鍵
２１  本体
２２  スライド部材
２２ａ  先端
２３  ベース
２３ａ  底面
２６  フェルト（吸収材）
２７  溝
２７ａ  入口
３０，３０Ａ  傾斜
【図１】
0003550324.tif 000002
【図２】
0003550324.tif 000003
【図３】
0003550324.tif 000004
【図４】
0003550324.tif 000005
【図５】
0003550324.tif 000006